(57)【要約】制御データの通信のためにトラヒックチャネルリソースを効率的に使用するための通信システムのための方法および装置を種々の方法および装置が供給する。トラフィックチャネルを介して、基地局から移動局へ送信のための制御メッセージの送信インジケータを受信するコントローラー。コントローラーは、送信インジケータに基づいてトラヒックチャネル休眠タイマーを選択する。ネットワークエンティティーは基地局へ送信インジケータを送るかもしれない。制御メッセージの送信インジケータは、通信の範囲、および移動局と基地局の間の制御メッセージのデータのサイズの少なくとも１つに基づいて決定される。コントローラーは、選択されたトラフィックチャネル休眠タイマーを用いて制御メッセージの送信のためのトラフィックチャネルを構成する。トラフィックチャネルは、選択されたトラフィックチャネル休眠タイマーの満了の後に解体される。
2006518169.tif 000002
【特許請求の範囲】
【請求項１】
下記を具備する、通信システムのための方法：
トラフィックチャネルを介して、基地局から移動局への送信のための制御メッセージの送信インジケータを受信する；
前記送信インジケータに基づいて前記基地局から前記移動局への前記制御メッセージの前記送信に関連するトラフィックチャネル休眠タイマーを選択する。
【請求項２】
前記送信インジケータを前記基地局に送信することをさらに具備する、請求項１に記載の方法。
【請求項３】
さらに下記を具備する、請求項１に記載の方法：
前記移動局と前記基地局との間の前記制御メッセージのデータの通信の範囲とサイズの少なくとも１つに基づいて、前記制御メッセージの前記送信インジケータを決定する。
【請求項４】
さらに下記を具備する、請求項１に記載の方法：
前記選択されたトラフィックチャネル休眠タイマーを用いて前記制御メッセージの送信のためのトラフィックチャネルを構築する。
【請求項５】
さらに下記を具備する、請求項１に記載の方法：
前記選択されたトラフィックチャネル休眠タイマーを用いて前記トラフィックチャネル上の前記移動局に前記制御メッセージを送信する。
【請求項６】
さらに下記を具備する、請求項１に記載の方法：
前記選択されたトラフィックチャネル休眠タイマーの満了後に前記トラフィックチャネルを解体する。
【請求項７】
前記トラフィックチャネル休眠タイマーを選択することは、前記送信インジケータを複数の定義されたトラフィックチャネル休眠タイマーの少なくとも１つに対応させることを含む、請求項１に記載の方法。
【請求項８】
さらに、下記を具備する、請求項１記載の方法：
複数の定義されたトラフィックチャネル休眠タイマーを複数の送信インジケータに対応させる、前記選択されたトラフィックチャネル休眠タイマーは、前記複数の定義されたトラフィックチャネル休眠タイマーの１つに対応している。
【請求項９】
下記を具備する、通信システムのための装置：
トラフィックチャネルを介して基地局から移動局に送信するための制御メッセージの送信インジケータを受信する手段；
前記送信インジケータに基づいて、前記基地局から前記移動局への前記制御メッセージの送信に関連するトラフィックチャネル休眠タイマーを選択する手段。
【請求項１０】
さらに下記を具備する、請求項９に記載の装置：
前記選択されたトラフィックチャネル休眠タイマーを用いて前記制御メッセージの送信のために構築されたトラフィックチャネル上の前記移動局から前記基地局においてデータを受信する手段。
【請求項１１】
さらに下記を具備する、請求項９に記載の装置：
前記送信インジケータを前記基地局に送信する手段。
【請求項１２】
さらに下記を具備する、請求項９に記載の装置：
前記移動局と前記基地局との間の前記制御メッセージのデータの通信の範囲およびサイズの少なくとも１つに基づいて前記制御メッセージの前記送信インジケータを決定する手段。
【請求項１３】
さらに下記を具備する、請求項９に記載の装置：
前記選択されたトラフィックチャネル休眠タイマーを用いて前記制御メッセージの送信のためにトラフィックチャネルを構築する手段。
【請求項１４】
さらに下記を具備する、請求項９に記載の装置：
前記選択されたトラフィックチャネル休眠タイマーを用いて前記トラフィックチャネル上の前記移動局に前記制御メッセージを送信する手段。
【請求項１５】
さらに下記を具備する、請求項９に記載の装置：
前記選択されたトラフィックチャネル休眠タイマーの満了後に前記トラフィックチャネルを解体する手段。
【請求項１６】
前記トラフィックチャネル休眠タイマーを選択する手段は、前記送信インジケータを、複数の定義されたトラフィックチャネル休眠タイマーの少なくとも１つに対応させる手段を含む、請求項９に記載の装置。
【請求項１７】
さらに下記を具備する、請求項９に記載の装置：
複数の定義されたトラフィックチャネル休眠タイマーを複数の送信インジケータに対応させる手段、前記トラフィックチャネル休眠タイマーを選択する手段は、前記複数の定義されたトラフィックチャネル休眠タイマーの１つに対応させることにより前記選択されたトラフィックチャネル休眠タイマーを選択する、請求項９に記載の装置。
【請求項１８】
下記を具備する、通信システムのための方法：
トラフィックチャネルを介して基地局から移動局に送信するための制御メッセージの送信インジケータを検出する；
前記送信インジケータに基づいて、トラフィックチャネル休眠タイマーを選択する；
前記送信インジケータを前記基地局に送信する；
前記移動局と前記基地局との間の前記制御メッセージのデータの通信の範囲またはサイズの少なくとも１つに基づいて前記制御メッセージの送信インジケータを決定する；
前記選択されたトラフィックチャネル休眠タイマーを用いて前記制御メッセージの送信のためにトラフィックチャネルを構築する。
【請求項１９】
下記を具備する、通信システムのための装置：
トラフィックチャネルを介して基地局から移動局に送信するための制御メッセージの送信インジケータを検出する手段；
前記送信インジケータに基づいてトラフィックチャネル休眠タイマーを選択する手段；
前記送信インジケータを前記基地局に送信する手段；
前記移動局と前記基地局との間の前記制御メッセージのデータの通信の範囲およびサイズの少なくとも１つに基づいて前記制御メッセージの前記送信インジケータを決定する手段；
前記選択されたトラフィックチャネル休眠タイマーを用いて前記制御メッセージの送信のためにトラフィックチャネルを構築する手段。
【請求項２０】
さらに下記を具備する、請求項１９に記載の装置：
前記制御メッセージの通信のために前記トラフィックチャネル上の前記移動局から前記基地局においてデータを受信する手段。
【発明の詳細な説明】
【技術分野】
【０００１】
この発明は、一般に通信の分野、特に無線通信に関する。
【背景技術】
【０００２】
プロトコルのシステムは、通常移動局と基地局が通信システムで作動するかもしれない方法を制御する。そのようなプロトコルは、公認の規格団体により発行された規格のセットに開示されている。プロトコルは、ユーザーデータの通信のためのトラフィックチャネル、および制御データの通信のための制御チャネルのようなチャネルのセットを定義してもよい。制御チャネルはユーザー間で共有してもよいし、通常短期間に使用される。一般に、制御データは、データの１ビットからデータの数バイトである。移動局のための制御データの送信は持続時間において非常に短い。さらに、制御メッセージへの応答の送信と受信の間の持続時間は、典型的なトラフィックデータ通信と比較して短い。トラフィックデータは制御データと比較して大きい。その結果、移動局に割り当てられたトラフィックチャネルはしばらくの間維持される。トラフィックデータ送信は、また、不連続な方法であってもよい。そのようなものとして、トラフィックチャネルデータを送信する可能性がある限り、トラフィックチャネルは維持される。トラフィックチャネルが休眠期間の後にされないなら、トラフィックチャネルが解体される。
【０００３】
ある場合に、制御データのサイズが大きすぎて、制御チャネルを介して送信することができない場合、制御データを特定の移動局に送信するためにトラフィックチャネルが構成されるかもしれない。しかしながら、トラフィックチャネルが制御データの送信のために構成されるとき、チャネルはしばらくの間解体されないかもしれない。結果としてトラフィックチャネルリソースの非高率な使用を生じる。それゆえ、無線通信システムにおいて、制御データの通信のためのトラフィックチャネルを非常に効率的に使用する必要性がある。
【発明の概要】
【０００４】
制御データの通信のためにトラフィックチャネルリソースを効率的に使用するために、種々の方法および装置は、通信システムのための方法および装置を供給する。コントローラーは、トラフィックチャネルを介して基地局から移動局に送信するために制御メッセージの送信インジケータを受信する。コントローラーは、送信インジケータに基づいてトラフィックチャネル休眠タイマーを選択する。ネットワークエンティティーは基地局へ送信インジケータを送るかもしれない。制御メッセージの送信インジケータは、通信の範囲、および移動局と基地局の間の制御メッセージのデータのサイズの少なくとも１つに基づいて決定される。コントローラーは、選択されたトラフィックチャネル休眠タイマーを用いて制御メッセージの送信のためのトラフィックチャネルを構成する。トラフィックチャネルは、選択されたトラフィックチャネル休眠タイマーの満了の後に解体される。
【発明を実施するための最良の形態】
【０００５】
この発明の特徴、目的、および利点は、全体を通して類似の参照文字がそれに相当して識別する図面とともに以下に述べる詳細な記載からより明白になるであろう。
【０００６】
概説するならば、この発明の種々の観点は、トラフィックチャネルを介して制御データの通信のために、さまざまなサイズのトラフィックチャネル休眠タイマーを用いて通信システムにおいて通信リソースの効率的な使用を供給する。ここに記載される１つ以上の例示実施形態は、デジタル無線データ通信システムの関連で述べられる。このコンテキスト内の使用が有利な間、この発明の異なる実施形態は異なる環境または構成に組み入れられるかもしれない。一般に、ここに記述された様々なシステムは、ソフトウェア制御されるプロセッサー、集積回路あるいはディスクリートロジックを使用して形成してもよい。アプリケーションの全体にわたって参照してもよいデータ、命令、コマンド、情報、信号、シンボルおよびチップは、電圧、電流、電磁波、磁界または磁性粒子、光学界または光学粒子、またはそれらの組み合わせにより有利に表される。さらに、各ブロック図内で示されるブロックは、ハードウェアまたは方法ステップを表してもよい。
【０００７】
より具体的には、この発明の種々の実施形態は、通信機械工業会(ＴＩＡ）および他の標準機構により発行された様々な規格に概説され開示された通信規格に従って動作する無線通信システムに組み込んでもよい。そのような規格は、ＴＩＡ／ＥＩＡ−９５規格、ＴＩＡ／ＥＩＡ−ＩＳ−２０００規格、ＩＭＴ−２０００規格、ＵＭＴＳおよびＷＣＤＭＡ規格、ＧＳＭ規格を含む。これらはすべて参照することによりここに組み込まれる。規格のコピーは、米合衆国、ＶＡ２２２０１、アーリントン、ウイルソンブルバード２５００(2500 Wilson Boulevard, Arlington, VA22201, United States of America)にあるＴＩＡの規格および技術部門に手紙を書くことにより入手してもよい。参照することによりここに組み込まれる、一般にＵＭＴＳ規格として識別される規格は、フランス、バルボン、ルシオレス−ソフィアアンチポリス、ルートデス６５０(650 Route des Lucioles-SophiaAntipolis, Valonne)にある３ＧＰＰサポートオフィスとコンタクトをとることにより入手してもよい。
【０００８】
図１は、この発明の種々の実施形態を組み込みながら、符号分割多元接続(ＣＤＭＡ）通信システム規格およびＧＳＭ規格のいずれかに従って動作することができる通信システム１００の一般的なブロック図を図解する。通信システム１００はデータの通信、またはデータと音声の通信向けであってよい。一般に、通信システム１００は、移動局１０２−１０４のような多数の移動局との間の通信リンク、および移動局１０２−１０４と公衆交換電話およびデータ網１０５との間の通信リンクを供給する基地局１０１を含む。
【０００９】
基地局１０１は、基地局コントローラーおよびベーストランシーバーシステムのような多数のコンポーネントを含んでいてもよい。簡単にするために、そのようなコンポーネントは示されない。
【００１０】
基地局１０１は、他の基地局、例えば基地局１６０と通信していてもよい。移動体通信向け交換機（図示せず)は、通信システム１００の種々の動作観点を制御してもよく、ネットワーク１０５と基地局１０１および１６０との間の帰路１９９を介した通信に関連していてもよい。基地局１０１は、基地局１０１から送信されたフォワードリンク信号を介してそのサービスエリア内にある各移動局と通信する。移動局１０２−１０４を目標としたフォワードリンク信号は、合計してフォワードリンク信号１０６を形成してもよい。フォワードリンク信号１０６を受け取る移動局１０２−１０４の各々は、フォワードリンク信号１０６をデコードして、受信した情報を抽出する。基地局１６０は、また、基地局１６０から送信されたフォワードリンク信号を介してそのサービスエリア内にある移動局と通信してもよい。移動局１０２−１０４は、対応するリバースリンクを介して基地局１０１および１６０と通信する。各リバースリンクは、それぞれ移動局１０２−１０４のためのリバースリンク信号１０７−１０９のようなリバースリンク信号により維持される。リバースリンク信号１０７−１０９は、１つの基地局を目標にしてもよいけれども、他の基地局において、受信してもよい。この発明の種々の観点は、トラフィックチャネルを介して制御およびトラフィックデータの通信のために可変サイズトラフィックチャネル休眠タイマーを使用するために通信システム１００において移動局と基地局を供給する。
【００１１】
基地局１０１および１６０は、共通の移動局と同時に通信してもよい。例えば、移動局１０２は、基地局１０１および１６０と隣接していてもよい。これは、基地局１０１および１６０の両方との通信を維持することができる。フォワードリンク上で、基地局１０１はフォワードリンク信号１０６で送信し、基地局１６０は、フォワードリンク信号１６１で送信する。リバースリンク上で、移動局１０２は、基地局１０１および１６０の両方により受信されるリバースリンク信号１０７で送信する。データのパケットを移動局１０２に送信するための基地局１０１および１６０の一方は、データのパケットを移動局１０２に送信するように選択してもよい。リバースリンク上で、基地局１０１および１６０の両方は、移動局１０２からのトラフィックデータ送信をデコードすることを試みてもよい。リバースリンクおよびフォワードリンクのデータレートおよび電力レベルは、基地局と移動局との間のチャネル条件に従って維持してもよい。
【００１２】
図１を参照すると、無線ネットワーク１０１は、インターネットプロトコル（ＩＰ）ベースのネットワークを含んでいてもよい。パケットデータサービングノード（ＰＤＳＮ）は、基地局とＩＰネットワークとの間のパケットデータを制御し、送信するために帰路１９９とＩＰネットワークとの間にあってもよい。基地局コントローラー（図示せず)は、また、通信システム内のＰＤＳＮと多数の基地局との間のパケットデータの通信を制御するパケットデータ制御機能(ＰＣＦ)を有していてもよい。ＰＤＳＮは、大抵の場合、通信システム１００内の移動局のために制御情報を発生する。そのような制御情報は移動局に対して特有であってもよい。例えば、移動局がまだサービスエリア内にいるかどうかを決定するために移動局にエコーリクエストメッセージを送信してもよい。応答は移動局からのエコー応答メッセージであってもよい。エコーリクエストおよび応答メッセージは持続時間が非常に短い。他の場合において、ＰＤＳＮは、そのサイズのためにトラフィックチャネルを超過する必要があるかもしれないＩＰネットワークから制御データを受信してもよい。例えば、ＩＰネットワークは、移動局からのリクエストに応じて移動局へモバイルＩＰレジストレーション応答を送信してもよい。応答メッセージは意図した移動局に向けられている。そして、応答メッセージは、トラフィックチャネルを介して一般に通信されるトラフィックデータに比べて短いかもしれない。これらの場合のいずれかにおいて、ＰＤＳＮは、この発明の種々の観点に従って、トラフィックチャネルがそのような制御メッセージの送信および受信に対して設定されるとき、より小さいサイズのトラフィックチャネル休眠タイマーを使用するために、基地局に対して送信インジケータを発生してもよい。送信インジケータは、また、多数の可能な休眠タイマー期間から選択してもよい好適持続時間を示してもよい。そのようなものとして、トラフィックチャネル休眠タイマーは、可変サイズパラメーターであってもよい。
【００１３】
基地局は、この発明の一実施形態に従って、制御データの送信のために構成されるトラフィックチャネルを解体するために、トラフィックデータの通信のために使用される休眠タイマーに比べて短いトラフィックチャネル休眠タイマーを選択してもよい。ＰＤＳＮまたは他の処理ユニットからのそのような表示がない場合に、基地局は、トラフィックチャネルを解体するための通常のトラフィックチャネル休眠タイマーを使用してもよい。従って、制御データを送信するとき、基地局は長い間トラフィックチャネルを保持しない。基地局はいくつかのディスクリートトラフィックチャネル休眠タイマーを持っていてもよい。制御メッセージの性質に基づいて、基地局は、あらかじめ定義されたトラフィックチャネル休眠タイマーからトラフィックチャネル休眠タイマーの適切な値を選択してもよい。別の方法では、基地局は、制御データメッセージの性質上の基礎を変更する連続的に可変サイズトラフィックチャネル休眠タイマーを使用してもよい。制御メッセージの性質はＰＤＳＮからの送信インジケータによって示してもよい。制御メッセージの性質は、制御メッセージの完了に必要な通信の範囲（持続時間）に基づいて決定してもよい。例えば、エコーリクエストおよび応答メッセージは持続時間が非常に短い。そういうものとして、送信インジケータは、低い値に設定される休眠タイマーを供給する。他の例において、ＩＰレジストレーション応答制御メッセージは、基地局と移動局の間の通信間にある遅れを要求してもよい。そのような場合に、送信インジケータは、より高い値に設定される休眠タイマーを供給する。
【００１４】
図２を参照すると、フローチャート２００は、通信システム１００において移動局でセットアップされている各トラフィックチャネルに対してトラフィックチャネル休眠タイマーを選択するために図１で示される基地局内のプロセッサー／コントローラーにより実行してもよい種々のステップを描画する。ステップ２０１において、基地局は、移動局への送信のための制御メッセージの表示を検知してもよい。制御データは特定の移動局に通信される必要があるかもしれない。表示は、基地局と、ＰＤＳＮに接続されたパケットデータコントローラーの間のシグナリングの形式、いずれかの代替形式であってよい。送信インジケータは、制御メッセージの性質を表示し、制御メッセージの完了に必要な範囲（持続時間）とデータ量に基づいて決定してもよい。ステップ２０２において、基地局はその表示を受信することに応答してトラフィックチャネル休眠タイマーを選択してもよい。休眠タイマーは、異なる持続時間値を有する休眠タイマーのセットから選択してもよい。例えば、非常に短いタイマー値は、小さなデータ量の通信を要求する制御データに対して選択してもよい。また、長いタイマー値は、大きなデータ量の通信を要求する制御メッセージに対して使用してもよい。他の観点において、休眠タイマーは、基地局と移動局の間で、メッセージの送信と受信の間の予測される遅延時間（すなわち、そのような通信の合計持続時間)に基づいて選択してもよい。ステップ２０３において、基地局は、トラフィックチャネル休眠タイマーを選択された休眠タイマーに設定している間に、制御データを特定の移動局に送信するためにトラフィックチャネルを構築してもよい。ステップ２０４において、トラフィックチャネルは選択された休眠タイマーの満了後に解体される。ほとんどの場合、制御データの通信のための選択された休眠タイマーは、同じ移動局へのトラフィックデータの通信のために選ばれた休眠タイマーよりはるかに小さい。そのようなものとして、トラフィックチャネルに割り付けられた通信資源は、トラフィックチャネルが制御データの通信のために使用されるとき、長い期間トラフィックチャネルの停滞を防止することにより非常に効率的に使用される。
【００１５】
図３は、この発明の種々の観点に従って動作しながら、送信先との通信リンクを維持するために受信機２００と送信機３００を組み込むためのトランシーバーシステム４００の一般的な図を描く。トランシーバー４００は、図１に示す基地局内に組み込んでもよい。トランシーバー４００はトラフィックと制御データの通信のために使用してもよい。その通信はトラフィックチャネルを介して行ってもよい。
【００１６】
トランシーバー４００は、また、移動局に組み込んでもよい。プロセッサー４０１は、受信機２００と送信機３００に接続され、受信および送信されたデータを処理し、受信機２００および送信機３００の種々の観点を制御してもよい。たとえ受信機２００および送信機３００が別々に示されていても、受信機２００と送信器３００の種々の観点は共通であってもよい。１つの観点において、受信機２００および送信機３００は、ＲＦ／ＩＦ受信および送信に対して、共通の局部発振器と共通のアンテナシステム４９９を共有してもよい。送信機３００は、入力４０５に送信するためにデータを受信する。送信データ処理ブロック４０３は送信チャネル上の送信のためにデータを準備する。デコードされた後、受信データはプロセッサー４０１の入力４０４において受信される。受信データは、プロセッサー４０１内の受信データ処理ブロック４０２において処理される。プロセッサー４０１の種々の動作は、単一のまたは複数の処理ユニットにおいて統合してもよい。トランシーバー４００は他の装置に接続してもよい。トランシーバー４００は装置の不可欠な部分であってもよい。装置は、コンピュータであってもよいし、またはコンピュータに類似した動作をする。装置は、インターネットのようなデータネットワークに接続してもよい。
【００１７】
基地局にトランシーバー４００を組込む場合には、基地局は、いくつかの接続を介してネットワーク１０５に接続してもよい。その接続はＰＤＳＮを含んでいてもよい。
【００１８】
送信機３００において、この発明の種々の観点に従って、プロセッサー４０１は、ＰＤＳＮまたは送信の性質を示す任意の他の処理エンティティから受信した送信インジケータに従って、トラフィックチャネル休眠タイマーを設定する。プロセッサー４０１内のメモリユニットは、トラフィックチャネルを介して制御データの通信の性質に基づいて発生される多数の異なる送信インジケータに相当する多数の休眠タイマー値を記憶してもよい。送信データ処理装置４０３は、受信した送信インジケータに基づいて休眠タイマーの持続時間を決定してもよい。短いタイマーは、短い持続時間を必要とする制御データの通信のために選択してもよく、長い休眠タイマーは、長い時間を取る通信のために選択してもよい。１つのケースにおいて、基地局と移動局の間のデータの送信および受信の間のより多くのデータまたはより長い遅延があるかもしれない。受信データの処理は一般に、データの受信したパケット内のエラーをチェックすることを含んでいる。受信データ記憶ブロック４８０は、データの各フレームにおいて、受信したデータを累積し、データの全ブロックを再構成してもよい。データの受信したフレームに基づいて受信データが再構成されず、休眠タイマーが満了になるなら、受信処理ユニット４０２および送信処理ユニット４０３に関連するプロセッサー４０１は、休眠タイマーの満了後にトラフィックチャネルを解体してもよい。
【００１９】
当業者は、さらに、ここに開示されている実施形態に関連して説明された多様な例示的な論理ブロック、モジュール、回路及びアルゴリズムステップが、電子ハードウェア、コンピュータソフトウェア、または両方の組み合わせとして実現されてよいことを理解するだろう。ハードウェアとソフトウェアのこの互換性を明確に説明するために、多様な例示的な構成要素、ブロック、モジュール、回路及びステップが、一般的にそれらの機能という点で前述されている。このような機能性がハードウェアとして実現されるのか、あるいはソフトウェアとして実現されるのかは、特定の用途及び全体的なシステムに課される設計制約に依存する。当業者は、それぞれの特定の用途のために変化する方法で説明された機能性を実現してよいが、このような実現の決定は、本発明の範囲からの逸脱を引き起こすと解釈されるべきではない。
【００２０】
ここに開示されている実施形態に関連して説明された多様な例示的な論理ブロック、モジュール及び回路は、汎用プロセッサー、デジタル信号プロセッサー（ＤＳＰ）、特定用途向け集積回路（ＡＳＩＣ）、フィールドプログラマブルゲートアレイ（ＦＰＧＡ）、または他のプログラマブルロジックデバイス、離散ゲートまたはトランジスタ論理、離散ハードウェア構成要素、あるいはここに説明される機能を実行するように設計されたその任意の組み合わせをもって実現または実行されてよい。汎用プロセッサーは、マイクロプロセッサであってよいが、代替策ではプロセッサーは、任意の従来のプロセッサー、コントローラー、マイクロコントローラーまたは状態機械であってよい。プロセッサーは、例えばＤＳＰとマイクロプロセッサの組み合わせ、複数のマイクロプロセッサ、ＤＳＰコアと連動する１台または複数台のマイクロプロセッサ、あるいは任意の他のこのような構成など計算装置の組み合わせとして実現されてもよい。
【００２１】
ここに開示された実施形態に関連して説明された方法またはアルゴリズムのステップは、ハードウェア内、プロセッサーによって実行されるソフトウェアモジュール内、あるいは２つの組み合わせの中で直接的に具体化されてよい。ソフトウェアモジュールはＲＡＭメモリ、フラッシュメモリ、ＲＯＭメモリ、ＥＰＲＯＭメモリ、ＥＥＰＲＯＭメモリ、レジスタ、ハードディスク、取り外し可能ディスク、ＣＤ−ＲＯＭ、または技術的に既知である任意の他の形式の記憶媒体に常駐してよい。例示的な記憶媒体は、プロセッサーが記憶媒体から情報を読み取り、記憶媒体に情報を書き込むことができるようにプロセッサーに結合される。代替策では、記憶媒体はプロセッサーに一体化してよい。プロセッサー及び記憶媒体はＡＳＩＣに常駐してよい。ＡＳＩＣはユーザー端末に常駐してよい。代替策では、プロセッサー及び記憶媒体はユーザー端末内に別々の構成要素として常駐してよい。
【００２２】
開示された実施形態の過去の説明は、当業者が本発明を製造するまたは使用することができるようにするために提供される。これらの実施形態に対する多様な修正は、当業者に容易に明らかになり、ここに定義される一般的な原則は、本発明の精神または範囲から逸脱することなく他の実施形態に適用されてよい。したがって、本発明はここに示されている実施形態に制限されるのではなく、ここに説明される原則及び新規な特徴と一貫する最も幅広い範囲を与えられることを目的とする。
【図面の簡単な説明】
【００２３】
【図１】図１はこの発明の種々の実施形態に従って、動作することができる通信システムを図解する。
【図２】図２は、この発明の種々の観点に従って、さまざまなサイズのトラフィックチャネル休眠タイマーを用いて制御データの通信のために基地局により実行してもよい種々のステップのフローチャートである。
【図３】図３は、この発明の種々の実施形態にしたがって動作することができる通信システムトランシーバーを図解する。
【図１】
2006518169.tif 000003
【図２】
2006518169.tif 000004
【図３】
2006518169.tif 000005
【国際調査報告】
2006518169.tif 000006
2006518169.tif 000007